(57)【要約】      （修正有）【課題】  銀行又は商店の出口に設置して強盗犯を逮捕する逮捕装置及びその逮捕方法を提供する。【解決手段】  中空のフレーム体と、両端に夫々内部釈放器２４が設けられる固定軸２３と、フレーム体の内に昇降自在に設けられ、緊縛部を形成する第１と第２ロープ３１，３２が設けられ、両側の中央に夫々プーリーと貫通孔が設けられる上フレーム３０と、一端がフレーム体と連結され、他端が上フレームと連結される複数のロープと、両端に連動ロッド２２と外部釈放器が設けられ、外部釈放器５３の下部に外錘体５４が設けられる長ロッド５２と、上端が連動ロッドと連結され、下端にプーリー組が設けられる連動ロープ５０と、上端がフレーム体と連結され、下端にプーリー組が設けられる位置決めロープ５０１と、緊縛部を形成する第３と第４ロープが設けられ、第３及び第４ロープの一端が外錘体と連結される下フレームと、を備えることを特徴とする。【選択図】        図６
2006078024.tif 000002
【特許請求の範囲】
【請求項１】
中空のフレーム体と、
前記フレーム体の上部に設けられると共に、両端に夫々内部釈放器が設けられ、該内部釈放器の下部における後記下フレームに該内部釈放器と着脱自在に内錘体が設けられる固定軸と、
前記フレーム体の内に昇降自在に設けられ、内部に一端に活動リング部が設けられると共に、他端が他のロープにおける活動リング部を貫通することにより緊縛部を形成する第１ロープと第２ロープが設けられ、両側の中央に夫々プーリーと貫通孔が設けられ、活動リング部と対向する第１ロープと第２ロープの一端がプーリーと貫通孔を介して後記下フレームと連結される上フレームと、
一端が前記フレーム体と連結されると共に、他端が前記上フレームと連結される複数のロープと、
前記フレーム体に設けられ、両端に連動ロッドと外部釈放器が設けられると共に、該外部釈放器の下部に該外部釈放器と着脱自在に外錘体が設けられる長ロッドと、
上端が前記連動ロッドと連結されると共に、下端にプーリー組が設けられる連動ロープと、
上端が前記フレーム体と連結されると共に、下端にプーリー組が設けられる位置決めロープと、
内部に一端に活動リング部が設けられると共に、他端が他のロープにおける活動リング部を貫通することにより緊縛部を形成する第３ロープと第４ロープが設けられ、活動リング部と対向する第３ロープ及び第４ロープの一端が前記プーリーを介して外錘体と連結される下フレームと、を備えることを特徴とする逮捕装置。
【請求項２】
前記フレーム体は複数の縦柱と横柱からなることを特徴とする請求項１に記載の逮捕装置。
【請求項３】
前記フレーム体の上部に継電器が設けられ、該継電器の上部に連動ロッドが設けられ、前記連動ロッドの一端はフレーム体における固定軸と連結されることを特徴とする請求項２に記載の逮捕装置。
【請求項４】
前記縦柱の間に内錘体を収容するための収容溝が形成されることを特徴とする請求項３に記載の逮捕装置。
【請求項５】
前記内錘体の外側に支持フレームが設けられることを特徴とする請求項４に記載の逮捕装置。
【請求項６】
前記下フレームに内側に斜面を有する複数の支持ブロックが設けられることを特徴とする請求項１乃至５に記載の逮捕装置。
【請求項７】
前記支持フレームがＬ字形であることを特徴とする請求項５に記載の逮捕装置。
【請求項８】
前記上フレームと下フレームが矩形であることを特徴とする請求項７に記載の逮捕装置。
【請求項９】
前記上フレーム及び下フレームの断面がコ字形であると共に、その内部に第１ロープ、第２ロープ及び第３ロープ、第４ロープが設けられることを特徴とする請求項１又は８に記載の逮捕装置。
【請求項１０】
前記フレーム体にクラッチと巻上げ軸からなる巻上げ器が設けられることを特徴とする請求項１又は２に記載の逮捕装置。
【請求項１１】
前記巻上げ軸の両端に揚巻ロープを有する巻上げローラーが設けられることを特徴とする請求項１０に記載の逮捕装置。
【請求項１２】
前記巻上げローラーにおける揚巻ロープの一端が内錘体と連結されることを特徴とする請求項１１に記載の逮捕装置。
【請求項１３】
犯人が現場から逃げようとする際、逮捕装置の内部釈放器をスイッチ又はリモコンによって起動させる起動ステップと、
該内部釈放器の起動後、複数のフレームを夫々人体の胸部、上腕及び下腿の高さまで落下させる釈放ステップと、
各フレームにおけるロープからなる緊縛部により犯人を緊縛する逮捕ステップと、
犯人を逮捕した後、巻上げ器によって各フレームとロープを元の状態に回復させる回復ステップと、を有することを特徴とする逮捕方法。
【発明の詳細な説明】
【技術分野】
【０００１】
本発明は、特に銀行又は商店の出口に設置して強盗犯を逮捕する逮捕装置及びその逮捕方法に関するものである。
【背景技術】
【０００２】
一般に銀行や商店などは防犯ドアや防犯シャッターを設けることにより、不審者の侵入を防止しているが、このような場所には大金が保管されているので、強盗事件が発生する恐れがある。このような強盗事件を防止するために、銀行や商店などは警察に直通の通報システムが設けられている。尚、このような通報システムは一般に使用されるものであるため、特に特許文献又は非特許文献には記載されていない。
【発明の開示】
【発明が解決しようとする課題】
【０００３】
しかし、強盗事件の発生時に、もしも犯人が武器（例えば拳銃やナイフなど）を持っていると、銀行員又は店員が犯人を拘束する際、けがを負ってしまう恐れがある。又、上記の場所には防犯ドアが設けられるが、このような防犯ドアでは、強盗犯に簡単に逃げられてしまうので、銀行員又は店員が通報システムで警察を呼んだとしても、警察が到着する前に、犯人は逃亡してしまう。
【０００４】
そこで、出願されたのが本発明であって、銀行又は商店の出口に設置して強盗犯を逮捕する逮捕装置及びその逮捕方法を提供することを目的としている。
【課題を解決するための手段】
【０００５】
本願の請求項１の発明は、中空のフレーム体と、
前記フレーム体の上部に設けられると共に、両端に夫々内部釈放器が設けられ、該内部釈放器の下部における後記下フレームに該内部釈放器と着脱自在に内錘体が設けられる固定軸と、
前記フレーム体の内に昇降自在に設けられ、内部に一端に活動リング部が設けられると共に、他端が他のロープにおける活動リング部を貫通することにより緊縛部を形成する第１ロープと第２ロープが設けられ、両側の中央に夫々プーリーと貫通孔が設けられ、活動リング部と対向する第１ロープと第２ロープの一端がプーリーと貫通孔を介して後記下フレームと連結される上フレームと、
一端が前記フレーム体と連結されると共に、他端が前記上フレームと連結される複数のロープと、
前記フレーム体に設けられ、両端に連動ロッドと外部釈放器が設けられると共に、該外部釈放器の下部に該外部釈放器と着脱自在に外錘体が設けられる長ロッドと、
上端が前記連動ロッドと連結されると共に、下端にプーリー組が設けられる連動ロープと、
上端が前記フレーム体と連結されると共に、下端にプーリー組が設けられる位置決めロープと、
内部に一端に活動リング部が設けられると共に、他端が他のロープにおける活動リング部を貫通することにより緊縛部を形成する第３ロープと第４ロープが設けられ、、活動リング部と対向する第３ロープ及び第４ロープの一端が前記プーリーを介して外錘体と連結される下フレームと、を備えることを特徴とする逮捕装置及び、
本願の請求項２の発明は、前記フレーム体は複数の縦柱と横柱からなることを特徴とする請求項１に記載の逮捕装置及び、
本願の請求項３の発明は、前記フレーム体の上部に継電器が設けられ、該継電器の上部に連動ロッドが設けられ、前記連動ロッドの一端はフレーム体における固定軸と連結されることを特徴とする請求項２に記載の逮捕装置及び、
本願の請求項４の発明は、前記縦柱の間に内錘体を収容するための収容溝が形成されることを特徴とする請求項３に記載の逮捕装置及び、
本願の請求項５の発明は、前記内錘体の外側に支持フレームが設けられることを特徴とする請求項４に記載の逮捕装置及び、
本願の請求項６の発明は、前記下フレームに内側に斜面を有する複数の支持ブロックが設けられることを特徴とする請求項１乃至５に記載の逮捕装置及び、
本願の請求項７の発明は、前記支持フレームがＬ字形であることを特徴とする請求項５に記載の逮捕装置及び、
本願の請求項８の発明は、前記上フレームと下フレームが矩形であることを特徴とする請求項７に記載の逮捕装置及び、
本願の請求項９の発明は、前記上フレーム及び下フレームの断面がコ字形であると共に、その内部に第１ロープ、第２ロープ及び第３ロープ、第４ロープが設けられることを特徴とする請求項１又は８に記載の逮捕装置及び、
本願の請求項１０の発明は、前記フレーム体にクラッチと巻上げ軸からなる巻上げ器が設けられることを特徴とする請求項１又は２に記載の逮捕装置及び、
本願の請求項１１の発明は、前記巻上げ軸の両端に揚巻ロープを有する巻上げローラーが設けられることを特徴とする請求項１０に記載の逮捕装置及び、
本願の請求項１２の発明は、前記巻上げローラーにおける揚巻ロープの一端が内錘体と連結されることを特徴とする請求項１１に記載の逮捕装置及び、
本願の請求項１３の発明は、犯人が現場から逃げようとする際、請求項１から請求項１２の何れかに記載した逮捕装置の内部釈放器をスイッチ又はリモコンによって起動させる起動ステップと、
該内部釈放器の起動後、複数のフレームを夫々人体の胸部、上腕及び下腿の高さまで落下させる釈放ステップと、
各フレームにおけるロープからなる緊縛部により犯人を緊縛する逮捕ステップと、
犯人を逮捕した後、巻上げ器によって各フレームとロープを元の状態に回復させる回復ステップと、を有することを特徴とする逮捕方法、を提供する。
【発明の効果】
【０００６】
本発明は上記の課題を解決するものであり、銀行又は商店の出口から逃げようとする強盗犯の胸部、上腕及び下腿をロープにより緊縛するので、強盗犯を確実に逮捕することができる。
【発明を実施するための最良の形態】
【０００７】
以下、添付図面を参照して本発明の好適な実施の形態を詳細に説明する。
【０００８】
図１は本発明に係る逮捕装置の斜視図であり、図２は本発明に係る逮捕装置の側面図であり、図３は本発明に係る逮捕装置の一部拡大側面図であり、図４は本発明に係る逮捕装置における上フレームと第２ロープの結合状態を示す拡大断面図であり、図５は本発明に係る逮捕装置の作動状態を示す一部拡大側面図であり、図６は本発明に係る逮捕装置における上フレームと下フレームの落下状態を示す斜視図であり、図７は本発明に係る逮捕装置における上フレームと下フレームの落下状態を示す側面図であり、図８は本発明に係る逮捕装置における上フレームの落下状態を示す一部拡大斜視図であり、図９は本発明に係る逮捕装置における外錘体が支持フレームに落下した状態を示す斜視図であり、図１０は本発明に係る逮捕装置における外錘体が支持フレームに落下した状態を示す側面図であり、図１１は本発明に係る逮捕装置における外錘体が支持フレームに落下した状態を示す一部拡大斜視図であり、図１２は本発明に係る逮捕装置により、犯人を逮捕した状態を示す斜視図である。
【０００９】
図１乃至図４に示すように、本発明に係る逮捕装置は複数の縦柱（１０）と横柱（１１）からなる中空のフレーム体と、該フレーム体の上部に設けられる固定軸（２３）と、該フレーム体に設けられると共に、上下活動可能な上フレーム（３０）と下フレーム（４０）と、複数のロープとを備える。
【００１０】
前記フレーム体の上部に継電器（２０）が設けられ、該継電器（２０）の上部に引掛け具（２１）が設けられると共に、該引掛け具（２１）に連動ロッド（２２）が設けられ、フレーム体の両側における横柱（１１）に夫々内部釈放器（２４）が設置され、内部釈放器（２４）との間に固定軸（２３）が設けられ、前記連動ロッド（２２）の一端が固定軸（２３）と連結され、前記内部釈放器（２４）の下部に内錘体（２５）が設けられる。
【００１１】
前記内部釈放器（２４）に対応するフレーム体の縦柱（１０）の間に収容溝（１２）が形成され、該内錘体（２５）が収容溝（１２）に上下移動可能であると共に、外側にＬ字形の支持フレーム（２６）が設けられる。
【００１２】
フレーム体の内側に断面がコ字形の溝（３０１）（４０１）を有する矩形の上フレーム（３０）と下フレーム（４０）が設けられ、図４及び図８に示すように、上フレーム（３０）に第１ロープ（３１）と第２ロープ（３２）が設けられ、第１ロープ（３１）と第２ロープ（３２）の一端に夫々活動リング部（３１１）（３２１）が設けられると共に、他端が夫々活動リング部（３１１）（３２１）を貫通することにより、緊縛部（３３）が形成される。本発明を起動しない状態で、第１ロープ（３１）と第２ロープ（３２）が粘着テープによって上フレーム（３０）の溝（４０）に隠される。
【００１３】
前記上フレーム（３０）の外側にフレーム体と連結するロープ（３６）が設けられ、そのロープ（３６）の長さは上フレーム（３０）を人体の胸と上腕の位置に落ちた場所からフレーム体の上側までの距離である。
【００１４】
図６及び図８に示すように、前記上フレーム（３０）の中段に貫通孔（３０２）が形成され、該貫通孔（３０２）を有する箇所にプーリー（３４）が設けられ、活動リング部（３１１）（３２１）に対する第１ロープ（３１）と第２ロープ（３２）の他端が貫通孔（３０２）とプーリー（３４）に介して一つのプーリー組（３５）を巻き回った後、下フレーム（４０）と連結されることにより、下フレーム（４０）は落ちた後、人体の下腿に位置する。又、下フレーム（４０）に内側に斜面を有する複数の支持ブロック（４１）が設けられることにより、上フレーム（３０）と下フレーム（４０）がフレーム体の上部に位置する際、該支持ブロック（４１）が上フレーム（３０）を支えている。
【００１５】
又、図１、図６、図８及び図９に示すように、前記第１ロープ（３１）と第２ロープ（３２）におけるプーリー組（３５）に夫々連動ロープ（５０）と位置決めロープ（５０１）が設けられ、該連動ロープ（５０）の上端がフレーム体の上部に設けられる連動ロッド（５１）と連結され、該連動ロッド（５１）の両端に夫々長ロッド（５２）が設けられ、該長ロッド（５２）の一端に外部釈放器（５３）が設けられ、該外部釈放器（５３）は使用中において、支持フレーム（２６）に落ちる外錘体（５４）を制御し、該外錘体（５４）に第３ロープ（５５）と第４ロープ（５６）が設けられ、該第３ロープ（５５）と第４ロープ（５６）はフレーム体におけるプーリー（５７）と内錘体（２５）と下フレーム（４０）の溝（４０１）を介して下フレーム（４０）の内側に固定され、その一端が夫々活動リング部（５５１）（５６１）が設けられると共に、他端が対応する活動リング部（５６１）（５５１）を貫通することにより、緊縛部（５９）が形成される。該下フレーム（４０）を落下しない場合、第３ロープ（５５）と第４ロープ（５６）が粘着テープによって下フレーム（４０）の溝（４０１）に粘着され、又、収容溝（１２）に対応する下フレーム（４０）に内錘体（２５）が設けられる。
【００１６】
図６に示すように、上フレーム（３０）と下フレーム（４０）をフレーム体の上部に収納するため、本発明はモータを有する巻上げ器（６０）が用いられ、該巻上げ器（６０）はクラッチ（６１）が制御されて巻上げ軸（６２）を回転させることができる。該巻上げ軸（６２）の両側に巻上げローラー（６３）が設けられると共に、該巻上げローラー（６３）に揚巻ロープ（６４）が設けられ、該揚巻ロープ（６４）の下端が内錘体（２５）に連結され、又、前記フレーム体の上部に微動スイッチ（７０）が設けられ、上フレーム（３０）が上昇して微動スイッチ（７０）を接触した後、巻上げ器（６０）を停止させることができる。
【００１７】
上記の構造を有する本発明に係る逮捕装置を使用する場合、図１に示すように、継電器（２０）が起動されて連動ロッド（２２）を連動させると共に、内部釈放器（２４）が内錘体（２５）を釈放させることにより、図５乃至図７に示すように、上フレーム（３０）と下フレーム（４０）を夫々落ちると共に、ロープ（３６）と連動ロープ（５０）と位置決めロープ（５０１）を下方へ連動させ、下フレーム（４０）に内錘体（２５）が設けられるので、落下速度が上フレーム（３０）より速い。上フレームをロープ（３６）によって所定の高さに落下した後、下フレーム（４０）を下方へ落下し続けると共に、プーリー組（３５）とプーリー（３４）によって上フレーム（３０）の溝（３０１）における第１ロープ（３１）と第２ロープ（３２）を連動させることにより、図８及び図１２に示すように、緊縛部（３３）で犯人（８０）の胸部と上腕を緊縛させる。
【００１８】
又、図９に示すように、前記下フレーム（４０）が所定の位置に落下した後、下フレーム（４０）における内錘体（２５）が上フレーム（３０）におけるプーリー組（３５）の連動ロープ（５０）に介して連動ロッド（５１）と長ロッド（５２）を連動させると共に、外部釈放器（５３）の外錘体（５４）を内錘体（２５）の外側に設ける支持フレーム（２６）に釈放することによって第３ロープ（５５）と第４ロープ（５６）を連動させることにより、図９乃至図１２に示すように、緊縛部（５９）で犯人（８０）の下腿を緊縛させる。
【００１９】
前記内錘体（２５）を落下する場合、該クラッチ（６１）が分離の状態であり、巻上げ軸（６２）の両側における巻上げローラー（６３）の揚巻ロープ（６４）の下端が内錘体（２５）に連結されるため、揚巻ロープ（６４）が内錘体（２５）と一緒に落下する。
【００２０】
本発明に係る逮捕装置により、銀行や商店の出口から逃げような犯人を逮捕する際、内錘体（２５）と外錘体（５４）の重量が重いから、他人の協力がなければ、犯人が緊縛部（３３）（５９）から脱出することができなく、又、第１ロープ（３１）、第２ロープ（３２）及び第３ロープ（５５）、第４ロープ（５６）の配列方向は交差状であるため、確実に犯人を逮捕することができる。
【００２１】
又、本発明を再び使用とする場合、クラッチ（６１）を結合状態に制御すると共に、巻上げ器（６０）によってクラッチ（６１）の巻上げ軸（６２）を逆方向へ回転し、巻上げ軸（６２）の両端における巻上げローラー（６３）の揚巻ロープ（６４）によって内錘体（２５）と下フレーム（４０）を上げると共に、上フレーム（３０）も一緒に上方へ移動させ、上フレーム（３０）がフレームの上部における微動スイッチ（７０）と接触する際、巻上げ器（６０）を停止させる。
【００２２】
又、前記下フレーム（４０）の底部に軟質の装飾プレートが設けられることにより、本発明の逮捕装置を美化させることができる。
【００２３】
本発明に係る逮捕方法は起動ステップと、釈放ステップと、逮捕ステップと、回復ステップとを有し、該起動ステップは犯人が現場から逃げようとする際、逮捕装置の内部釈放器（２４）をスイッチ又はリモコンによって起動させる。
【００２４】
前記釈放ステップは該内部釈放器（２４）の起動後、複数のフレーム（例えば、本発明の上フレーム（３０）と下フレーム（４０））を夫々人体の胸部、上腕及び下腿の高さまで落下させる。
【００２５】
前記逮捕ステップは各フレーム（上フレーム（３０）と下フレーム（４０））における第１ロープ、第２ロープ及び第３ロープ、第４ロープからなる緊縛部（３３）（５９）により犯人を緊縛する。
【００２６】
前記回復ステップは犯人を逮捕した後、巻上げ器（６０）によって各フレームとロープを元の状態に回復させる。
【産業上の利用可能性】
【００２７】
本発明は上記の構造を有し、銀行又は商店の出口から逃げようとする強盗犯の胸部、上腕及び下腿をロープにより緊縛するので、強盗犯を確実に逮捕することができる。
【図面の簡単な説明】
【００２８】
【図１】本発明に係る逮捕装置の斜視図である。
【図２】本発明に係る逮捕装置の側面図である。
【図３】本発明に係る逮捕装置の一部拡大側面図である。
【図４】本発明に係る逮捕装置における上フレームと第２ロープの結合状態を示す拡大断面図である。
【図５】本発明に係る逮捕装置の作動状態を示す一部拡大側面図である。
【図６】本発明に係る逮捕装置における上フレームと下フレームの落下状態を示す斜視図である。
【図７】本発明に係る逮捕装置における上フレームと下フレームの落下状態を示す側面図である。
【図８】本発明に係る逮捕装置における上フレームの落下状態を示す一部拡大斜視図である。
【図９】本発明に係る逮捕装置における外錘体が支持フレームに落下した状態を示す斜視図である。
【図１０】本発明に係る逮捕装置における外錘体が支持フレームに落下した状態を示す側面図である。
【図１１】本発明に係る逮捕装置における外錘体が支持フレームに落下した状態を示す一部拡大斜視図である。
【図１２】本発明に係る逮捕装置により、犯人を逮捕した状態を示す斜視図である。
【符号の説明】
【００２９】
１０        縦柱
１１        横柱
１２        収容溝
２０        継電器
２１        引掛け具
２２        連動ロッド
２３        固定軸
２４        内部釈放器
２５        内錘体
２６        支持フレーム
３０        上フレーム
３０１      溝
３０２      貫通孔
３１        第１ロープ
３１１      活動リング部
３２        第２ロープ
３２１      活動リング部
３３        緊縛部
３４        プーリー
３５        プーリー組
３６        ロープ
４０        下フレーム
４０１      溝
４１        支持ブロック
５０        連動ロープ
５０１      位置決めロープ
５１        連動ロッド
５２        長ロッド
５３        外部釈放器
５４        外錘体
５５        第３ロープ
５５１      活動リング部
５６        第４ロープ
５６１      活動リング部
５７        プーリー
５９        緊縛部
６０        巻上げ器
６１        クラッチ
６２        巻上げ軸
６３        巻上げローラー
６４        巻きロープ
７０        微動スイッチ
７１        止めブロック
８０        犯人
【図１】
2006078024.tif 000003
【図２】
2006078024.tif 000004
【図３】
2006078024.tif 000005
【図４】
2006078024.tif 000006
【図５】
2006078024.tif 000007
【図６】
2006078024.tif 000008
【図７】
2006078024.tif 000009
【図８】
2006078024.tif 000010
【図９】
2006078024.tif 000011
【図１０】
2006078024.tif 000012
【図１１】
2006078024.tif 000013
【図１２】
2006078024.tif 000014